(57)【要約】【課題】印刷ジョブの完了時、直ちにどのようなサイズの用紙でも印刷できるようにしつつ、非通紙領域に対する必要の無い加熱を行わず、無駄な電力消費をなくす。【解決手段】画像形成装置は、給紙部と、画像形成部と、用紙と接する回転体を含む加熱部と、誘導加熱によって加熱部を暖めるコイルと、加熱部を加熱する加熱幅を異ならせるコアと、コアを回転させる回転部と、加熱部の温度を検知する温度検知体と、通紙領域の温度を定着に必要な温度レベルである定着制御温度で維持させるためコイルに供給する電力を制御し、印刷に用いる用紙サイズを把握し、加熱部での加熱幅を制御する制御部と、を有し、制御部は、印刷ジョブを開始するとき、用紙サイズにあわせた加熱幅とし、印刷ジョブの途中で、加熱幅を印刷ジョブ開始のときよりも広げて加熱部を加熱させる。【選択図】図９
2011112858.tif 000002
【特許請求の範囲】
【請求項１】
印刷に用いる用紙を収容する給紙部と、
トナー像を形成する画像形成部と、
トナー像の定着のため用紙と接する回転体を含む加熱部と、
前記加熱部に対向し、前記回転体の軸線方向に沿ってかけ回され、誘導加熱によって前記加熱部を暖めるコイルと、
前記加熱部に対向し、前記コイルと前記加熱部との磁路を形成し、周面が磁気遮蔽板に覆われ、前記加熱部を加熱する加熱幅を異ならせるため、周方向の位置により前記磁気遮蔽板に覆われる軸線方向の長さが複数段階異なるコアと、
前記コアを回転させる回転部と、
前記加熱幅に合わせ前記加熱部の温度を検知するため複数設けられる温度検知体と、
前記温度検知体の出力に基づき、前記回転体のうち用紙と接する通紙領域の温度を定着に必要な温度レベルである定着制御温度で維持させるため、前記コイルに供給する電力を制御し、印刷に用いる用紙サイズを把握し、前記回転部を制御して前記コアの回転角度を制御することにより前記加熱部での加熱幅を制御する制御部と、を有し、
前記制御部は、印刷ジョブを開始するとき、前記回転部を制御して前記用紙サイズにあわせた加熱幅とし、印刷ジョブの途中で、前記回転部を制御して加熱幅を印刷ジョブ開始のときよりも広げて前記加熱部を加熱させることを特徴とする画像形成装置。
【請求項２】
前記制御部は、印刷ジョブを開始するとき、前記加熱部のうち、定着する用紙と接しない領域である非通紙領域が最も広くなるように前記用紙サイズに合わせた加熱幅とし、印刷ジョブの途中で、加熱幅を広げて前記加熱部を加熱する際、印刷ジョブが完了するまでに前記非通紙領域が前記定着制御温度となるように、前記加熱部を加熱させることを特徴とする請求項１記載の画像形成装置。
【請求項３】
データを記憶するための記憶部を有し、
前記記憶部は、印刷ジョブの途中に加熱幅を広げて前記加熱部の加熱を行った際、前記温度検知体に基づき検知された前記非通紙領域の温度に対し、印刷ジョブ完了のときに前記非通紙領域を前記定着制御温度とするための印刷ジョブの残りの印刷枚数を定めた加熱用データを記憶し、
前記制御部は、前記加熱用データに基づき、印刷ジョブの途中で、加熱幅を広げて前記加熱部を加熱させるタイミングを決定することを特徴とする請求項１又は２記載の画像形成装置。
【請求項４】
前記記憶部は、前記加熱用データを画像形成装置で利用可能な用紙サイズごとに複数種記憶し、
前記制御部は、複数種の前記加熱用データのうち、印刷に用いる用紙サイズに対応した前記加熱用データを選択し、選択した前記加熱用データを用いて、印刷ジョブの途中で、加熱幅を広げて前記加熱部を加熱させるタイミングを決定することを特徴とする請求項３記載の画像形成装置。
【請求項５】
前記記憶部は、前記加熱用データを画像形成装置で利用可能な用紙の種類ごとに複数種記憶し、
前記制御部は、複数種の前記加熱用データのうち、印刷に用いる用紙の種類に対応した前記加熱用データを選択し、選択した前記加熱用データを用いて、印刷ジョブの途中で、加熱幅を広げて前記加熱部を加熱させるタイミングを決定することを特徴とする請求項３又は４に記載の画像形成装置。
【請求項６】
データを記憶するための記憶部を有し、
前記記憶部は、印刷ジョブの途中で加熱幅を広げて前記加熱部の加熱を行った際の前記非通紙領域での温度上昇率の測定データを記憶し、
前記制御部は、前記測定データに基づき前記温度検知体により検知された前記非通紙領域の温度を前記定着制御温度まで上昇させるのに要する上昇所要時間と、印刷ジョブの残りの印刷枚数の印刷に要する印刷所要時間とを求め、比較し、前記上昇所要時間の方が短い間で、印刷ジョブの途中で、加熱幅を広げて前記加熱部を加熱させるタイミングを決定することを特徴とする請求項１又は２記載の画像形成装置。
【請求項７】
前記記憶部は、前記測定データを画像形成装置で利用可能な用紙サイズごとに複数種記憶し、
前記制御部は、複数種の前記測定データのうち、印刷に用いる用紙サイズに対応した前記前記測定データを選択し、選択した前記測定データを用いて、印刷ジョブの途中で、加熱幅を広げて前記加熱部を加熱させるタイミングを決定することを特徴とする請求項６記載の画像形成装置。
【請求項８】
前記記憶部は、前記測定データを画像形成装置で利用可能な用紙の種類ごとに複数種記憶し、
前記制御部は、複数種の前記測定データのうち、印刷に用いる用紙の種類に対応した前記測定データを選択し、選択した前記測定データを用いて、印刷ジョブの途中で、加熱幅を広げて前記加熱部を加熱させるタイミングを決定することを特徴とする請求項６又は７に記載の画像形成装置。
【請求項９】
前記制御部は、印刷ジョブの途中で、加熱幅を印刷ジョブ開始のときよりも広げて前記加熱部を加熱する場合、前記給紙部に収容される用紙のうち、最も大きなサイズの用紙に対応する加熱幅に加熱幅を広げて前記加熱部を加熱させることを特徴とする請求項１乃至８のいずれか１項に記載の画像形成装置。
【請求項１０】
前記制御部は、印刷ジョブの途中で、加熱幅を印刷ジョブ開始のときよりも広げて前記加熱部を加熱する場合、次の印刷ジョブで用いる用紙のサイズの用紙に対応する加熱幅に加熱幅を広げて前記加熱部を加熱させることを特徴とする請求項１乃至９のいずれか１項に記載の画像形成装置。
【請求項１１】
外部から印刷の設定データを含む印刷データを受信する通信部を有し、
前記制御部は、前記通信部で受信された前記設定データに基づき印刷に用いる用紙サイズ及び／又は用紙の種類を把握することを特徴とする請求項１乃至１０のいずれか１項に記載の画像形成装置。
【請求項１２】
印刷に用いる用紙のサイズ及び／又は用紙の種類の設定入力を行うための操作入力部を有し、
前記制御部は、前記操作入力部に入力された内容に基づき、印刷に用いる用紙サイズ及び／又は用紙の種類を把握することを特徴とする請求項１乃至１１のいずれか１項に記載の画像形成装置。
【発明の詳細な説明】
【技術分野】
【０００１】
本発明は、トナー像が転写された用紙を、誘導加熱で加熱して定着を行う複合機、複写機、プリンタ、ＦＡＸ装置等の画像形成装置に関する。
【背景技術】
【０００２】
従来から、複合機等の画像形成装置には、形成したトナー像を用紙に転写し、熱でトナー像を定着させるものがある。そして、画像形成装置内のトナー像の定着を行う定着装置には、用紙搬送を行いつつ加熱するため、ローラ等の回転体を含み、コイルから生ずる磁束による渦電流等でジュール熱を発生させ（誘導加熱）、回転体を暖め、用紙の加熱を行うものがある。ここで、印刷中、誘導加熱で暖められる回転体のうち、用紙と接する部分（通紙領域）は熱を通過する用紙に奪われるので、回転体の加熱を続ける必要があるが、そうすると、用紙と接しない非通紙領域は、温度が上昇し続ける。この非通紙領域での過昇温防止等のため、回転体の非通紙領域に磁束を到達しないようにして、加熱幅を調整する定着装置が存在する。このような定着装置の一例が特許文献１に記載されている。
【０００３】
具体的に、特許文献１には、磁束を発生する磁束発生手段と、磁束発生手段の磁束により誘導加熱される発熱体と、発熱体を挟んで磁束発生手段に対向配置した対向コアと、を備え、対向コアは、磁束の磁路に対向する対向部と発熱体との離間距離が、磁路に対向しない非対向部と発熱体との離間距離よりも小さい形状を有し、対向コアの対向部は、非対向部から突出した凸部からなり、凸部の長手方向の長さは、通紙可能な記録媒体のサイズ幅に相当する長さを有し、発熱体の非通紙領域に対向して非通紙領域に流れる磁束を遮断する磁気遮蔽体を対向コアに配設した定着装置が記載されている。この構成により、非通紙領域での熱の蓄積による過昇温を防止しようとする（特許文献１：請求項１、請求項２、請求項５、段落［００７６］、図８等参照）。
【先行技術文献】
【特許文献】
【０００４】
【特許文献１】特開２００６−１４５７７９
【発明の概要】
【発明が解決しようとする課題】
【０００５】
上述したように、用紙のサイズにあわせ加熱幅を変化させる画像形成装置は存在する。しかし、印刷ジョブ完了まで加熱幅を変更したままとすると、回転体での非通紙領域の温度は低下する。そして、非通紙領域の温度は、印刷ジョブの終了時、トナーを溶融させるために必要で、定着を行う上で維持すべき温度である定着制御温度よりも下がることがある。そうすると、先の印刷ジョブ（例えば、はがき印刷）よりも大きなサイズの用紙（例えば、Ａ３サイズ）を用いて印刷ジョブを新たに行う場合、新たな印刷ジョブで用いる用紙の通紙領域全域を暖め、昇温させる必要がある。このため、使用者は、先の印刷ジョブ完了後、直ちに印刷ジョブを実行できず、待つ必要があるという問題がある。
【０００６】
又、印刷中、非通紙領域の温度が高くなった際に、加熱幅を用紙サイズに合わせる制御が行われる場合がある。この方法によれば、印刷ジョブの完了時、非通紙領域の温度が定着制御温度を下回らず、確かに、先の印刷ジョブ完了後、直ちに印刷ジョブを実行できる場合もある。しかし、この制御では、暖める必要がない非通紙領域への加熱が積極的に行われることになり、無駄な電力が消費されるという問題がある。
【０００７】
尚、特許文献１記載の定着装置を見ると、用紙にあわせて加熱の制御を行う旨は記載される（特許文献１：段落［００８３］、［００８６］、［００９０］等参照）。しかし、印刷ジョブ完了時、非通紙領域の温度が低下する点や、先の印刷ジョブ完了後、直ちに印刷ジョブを実行できず、使用者は、待つ必要がある点についての記載はない。又、コアを回転させるタイミングについても具体的な記載はなく、暖める必要がない非通紙領域への加熱による無駄な電力消費も生じ得る。
【０００８】
本発明は、上記従来技術の問題点に鑑みてなされたものであり、誘導加熱により定着を行う画像形成装置において、印刷ジョブの完了時、直ちにどのようなサイズの用紙でも印刷できるようにしつつ、非通紙領域に対する必要の無い加熱を行わず、無駄な電力消費をなくすことを課題とする。
【課題を解決するための手段】
【０００９】
請求項１に係る画像形成装置は、印刷に用いる用紙を収容する給紙部と、トナー像を形成する画像形成部と、トナー像の定着のため用紙と接する回転体を含む加熱部と、前記加熱部に対向し、前記回転体の軸線方向に沿ってかけ回され、誘導加熱によって前記加熱部を暖めるコイルと、前記加熱部に対向し、前記コイルと前記加熱部との磁路を形成し、周面が磁気遮蔽板に覆われ、前記加熱部を加熱する加熱幅を異ならせるため、周方向の位置により前記磁気遮蔽板に覆われる軸線方向の長さが複数段階異なるコアと、前記コアを回転させる回転部と、前記加熱幅に合わせ前記加熱部の温度を検知するため複数設けられる温度検知体と、前記温度検知体の出力に基づき、前記回転体のうち用紙と接する通紙領域の温度を定着に必要な温度レベルである定着制御温度で維持させるため、前記コイルに供給する電力を制御し、印刷に用いる用紙サイズを把握し、前記回転部を制御して前記コアの回転角度を制御することにより前記加熱部での加熱幅を制御する制御部と、を有し、前記制御部は、印刷ジョブを開始するとき、前記回転部を制御して前記用紙サイズにあわせた加熱幅とし、印刷ジョブの途中で、前記回転部を制御して加熱幅を印刷ジョブ開始のときよりも広げて前記加熱部を加熱させることとした。
【００１０】
この構成によれば、印刷ジョブを開始するとき、用紙サイズにあわせた加熱幅とし、印刷ジョブの途中で加熱幅を印刷ジョブ開始のときよりも広げるので、印刷ジョブ開始時では、加熱部のうち、非通紙領域の加熱は行われない。従って、非通紙領域の無駄な加熱によって電力が無駄に消費されない。又、印刷ジョブ完了後の次の印刷ジョブで用いる用紙のサイズが、先の印刷ジョブよりも大きくても、次の印刷ジョブで用いる用紙の通紙領域全域を定着制御温度に暖めるために、使用者は待たなくて済む。従って、先の印刷ジョブ完了後、用紙サイズの異なる印刷ジョブを直ちに実行でき、使用者の利便性が高くなる。
【００１１】
又、請求項２に係る発明は、請求項１の発明において、前記制御部は、印刷ジョブを開始するとき、前記加熱部のうち、定着する用紙と接しない領域である非通紙領域が最も広くなるように前記用紙サイズに合わせた加熱幅とし、印刷ジョブの途中で、加熱幅を広げて前記加熱部を加熱する際、印刷ジョブが完了するまでに前記非通紙領域が前記定着制御温度となるように、前記加熱部を加熱させることとした。
【００１２】
この構成によれば、印刷ジョブが完了するまでに非通紙領域が定着制御温度となるように、加熱部を加熱させる。これにより、印刷ジョブ完了後の次の印刷ジョブで用いる用紙のサイズが、先の印刷ジョブよりも大きくても、確実に、先の印刷ジョブ完了後、直ちに印刷を実行することができる。
【００１３】
又、請求項３に係る発明は、請求項１又は２の発明において、データを記憶するための記憶部を有し、前記記憶部は、印刷ジョブの途中に加熱幅を広げて前記加熱部の加熱を行った際、前記温度検知体に基づき検知された前記非通紙領域の温度に対し、印刷ジョブ完了のときに前記非通紙領域を前記定着制御温度とするための印刷ジョブの残りの印刷枚数を定めた加熱用データを記憶し、前記制御部は、前記加熱用データに基づき、印刷ジョブの途中で、加熱幅を広げて前記加熱部を加熱させるタイミングを決定することとした。
【００１４】
この構成によれば、加熱用データに基づき、印刷ジョブの途中で、加熱幅を広げて加熱部を加熱させるタイミングを決定するので、制御部は、簡易に加熱幅を広げて加熱部を加熱させるタイミングを決定することができる。又、加熱用データは、印刷ジョブ完了のときに非通紙領域を定着制御温度とするように定められているので、非通紙領域の不要な加熱による無駄な電力消費を可能な限り少なくすることができる。
【００１５】
又、請求項４に係る発明は、請求項３の発明において、前記記憶部は、前記加熱用データを画像形成装置で利用可能な用紙サイズごとに複数種記憶し、前記制御部は、複数種の前記加熱用データのうち、印刷に用いる用紙サイズに対応した前記加熱用データを選択し、選択した前記加熱用データを用いて、印刷ジョブの途中で、加熱幅を広げて前記加熱部を加熱させるタイミングを決定することとした。
【００１６】
用紙が用紙搬送方向において長いほど、１枚の用紙を印刷する際に、通紙領域で用紙に奪われる熱は多くなる。そうすると、通紙領域の定着制御温度を維持する上で、用紙のサイズによって、１枚の印刷にあたり、コイルに投入すべき電力（熱に変換するエネルギー）に差が生じる。従って、用紙サイズによって、印刷ジョブの途中で加熱幅を広げるタイミングの目安としての印刷ジョブの残りの印刷枚数は異なる。しかし、この構成によれば、記憶部は、加熱用データを画像形成装置で利用可能な用紙サイズごとに複数種記憶するので、印刷に用いる用紙のサイズを問わず、非通紙領域の不要な加熱による無駄な電力消費を可能な限り少なくすることができる。
【００１７】
又、請求項５に係る発明は、請求項３又は４の発明において、前記記憶部は、前記加熱用データを画像形成装置で利用可能な用紙の種類ごとに複数種記憶し、前記制御部は、複数種の前記加熱用データのうち、印刷に用いる用紙の種類に対応した前記加熱用データを選択し、選択した前記加熱用データを用いて、印刷ジョブの途中で、加熱幅を広げて前記加熱部を加熱させるタイミングを決定することとした。
【００１８】
用紙が分厚いほど、１枚の用紙を印刷する際に、通紙領域で用紙に奪われる熱は多くなる。そうすると、通紙領域の定着制御温度を維持する上で、用紙の種類によって、コイルに投入すべき電力に差が生じる。従って、用紙の種類によって、印刷ジョブの途中で、加熱幅を広げた際、非通紙領域の昇温の程度に差が生ずる。しかし、この構成によれば、記憶部は加熱用データを画像形成装置で利用可能な用紙の種類ごとに複数種記憶するので、印刷に用いる用紙の種類を問わず、非通紙領域の不要な加熱による無駄な電力消費を可能な限り少なくすることができる。
【００１９】
又、請求項６に係る発明は、請求項１又は２の発明において、データを記憶するための記憶部を有し、前記記憶部は、印刷ジョブの途中で加熱幅を広げて前記加熱部の加熱を行った際の前記非通紙領域での温度上昇率の測定データを記憶し、前記制御部は、前記測定データに基づき前記温度検知体により検知された前記非通紙領域の温度を前記定着制御温度まで上昇させるのに要する上昇所要時間と、印刷ジョブの残りの印刷枚数の印刷に要する印刷所要時間とを求め、比較し、前記上昇所要時間の方が短い間で、印刷ジョブの途中で、加熱幅を広げて前記加熱部を加熱させるタイミングを決定することとした。
【００２０】
この構成によれば、制御部は、測定データに基づき、上昇所要時間の方が短い間に、印刷ジョブの途中で、加熱幅を広げて加熱部を加熱させるタイミングを決定するので、画像形成装置の設置環境（周辺温度等）や加熱部の昇温の程度の個体差等の事情を考慮して、制御部は、加熱幅を広げて加熱部を加熱させるタイミングを決定することができる。従って、実情にあわせた加熱制御を行うことができ、効率的に無駄な電力消費を無くすことができる。
【００２１】
又、請求項７に係る発明は、請求項６の発明において、前記記憶部は、前記測定データを画像形成装置で利用可能な用紙サイズごとに複数種記憶し、前記制御部は、複数種の前記測定データのうち、印刷に用いる用紙サイズに対応した前記測定データを選択し、選択した前記測定データを用いて、印刷ジョブの途中で、加熱幅を広げて前記加熱部を加熱させるタイミングを決定することとした。
【００２２】
用紙が用紙搬送方向において長いほど、１枚の用紙を印刷する際に、通紙領域で用紙に奪われる熱は多くなる。そうすると、通紙領域の定着制御温度を維持する上で、用紙のサイズによって、コイルに投入すべき電力に差が生じる。従って、用紙サイズによって、印刷ジョブの途中で、加熱幅を広げた際、非通紙領域の昇温の程度に差が生ずる。しかし、この構成によれば、記憶部は、測定データを画像形成装置で利用可能な用紙サイズごとに複数種記憶するので、画像形成装置の設置環境に合わせつつ、印刷に用いる用紙のサイズを問わず、非通紙領域の不要な加熱による無駄な電力消費を少なくすることができる。
【００２３】
又、請求項８に係る発明は、請求項６又は７の発明において、前記記憶部は、前記測定データを画像形成装置で利用可能な用紙の種類ごとに複数種記憶し、前記制御部は、複数種の前記測定データのうち、印刷に用いる用紙の種類に対応した前記測定データを選択し、選択した前記測定データを用いて、印刷ジョブの途中で、加熱幅を広げて前記加熱部を加熱させるタイミングを決定することとした。
【００２４】
用紙が分厚いほど、１枚の用紙を印刷する際に、通紙領域で用紙に奪われる熱は多くなる。そうすると、通紙領域の定着制御温度を維持する上で、用紙の種類によって、コイルに投入すべき電力に差が生じる。従って、用紙の種類によって、印刷ジョブの途中で、加熱幅を広げた際、非通紙領域の昇温の程度に差が生ずる。しかし、この構成によれば、記憶部は、測定データを画像形成装置で利用可能な用紙の種類ごとに複数種記憶するので、画像形成装置の設置環境に合わせつつ、印刷に用いる用紙の種類を問わず、非通紙領域の不要な加熱による無駄な電力消費を少なくすることができる。
【００２５】
又、請求項９に係る発明は、請求項１乃至８の発明において、前記制御部は、印刷ジョブの途中で、加熱幅を印刷ジョブ開始のときよりも広げて前記加熱部を加熱する場合、前記給紙部に収容される用紙のうち、最も大きなサイズの用紙に対応する加熱幅に加熱幅を広げて前記加熱部を加熱させることとした。
【００２６】
印刷ジョブ終了後、一般的に、次の印刷ジョブでいかなるサイズの用紙を用いて印刷するか予測できない。そこで、この構成によれば、制御部は、給紙部に収容される用紙のうち、（用紙搬送方向と垂直な方向で）最も大きなサイズの用紙に対応する加熱幅に加熱幅を広げて加熱部を加熱させる。これにより、次の印刷ジョブでいかなるサイズの用紙を用いて印刷しても、直ちに印刷ジョブを開始することができ、省エネを実現しつつ、利便性の高い画像形成装置を提供することができる。
【００２７】
又、請求項１０に係る発明は、請求項１乃至９の発明において、前記制御部は、印刷ジョブの途中で、加熱幅を印刷ジョブ開始のときよりも広げて前記加熱部を加熱する場合、次の印刷ジョブで用いる用紙のサイズの用紙に対応する加熱幅に加熱幅を広げて前記加熱部を加熱させることとした。
【００２８】
印刷ジョブ実行中に、次の印刷ジョブが画像形成装置に入力された場合など、次の印刷ジョブで用いる用紙のサイズが分かる場合もある。そこで、この構成によれば、制御部は、次の印刷ジョブで用いる用紙のサイズの用紙に対応する加熱幅に加熱幅を広げて加熱部を加熱させる。これにより、次の印刷ジョブを実行する上で、不要な領域まで加熱してしまうことがなくなり、無駄な電力消費を避けることができる。又、印刷ジョブ完了後、次の印刷ジョブを直ちに印刷ジョブを開始することができ、省エネを実現しつつ、利便性の高い画像形成装置を提供することができる。
【００２９】
又、請求項１１に係る発明は、請求項１乃至１０の発明において、外部から印刷の設定データを含む印刷データを受信する通信部を有し、前記制御部は、前記通信部で受信された前記設定データに基づき印刷に用いる用紙サイズ及び／又は用紙の種類を把握することとした。
【００３０】
この構成によれば、制御部は、通信部で受信された設定データに基づき印刷に用いる用紙サイズを把握することができる。画像形成装置がプリンタとして利用された場合の好適例である。
【００３１】
又、請求項１２に係る発明は、請求項１乃至１１の発明において、印刷に用いる用紙のサイズ及び／又は用紙の種類の設定入力を行うための操作入力部を有し、前記制御部は、前記操作入力部に入力された内容に基づき、印刷に用いる用紙サイズ及び／又は用紙の種類を把握することとした。
【００３２】
この構成によれば、制御部は、操作入力部に入力された内容に基づき、印刷に用いる用紙サイズを把握することができる。画像形成装置がコピーとして利用された場合の好適例である。
【発明の効果】
【００３３】
上述したように、本発明によれば、非通紙領域に対する必要の無い加熱を行われず、無駄な電力消費をなくすことができる。又、印刷ジョブの完了時、直ちにどのようなサイズの用紙でも印刷できるので、使用者の利便性が高い。
【図面の簡単な説明】
【００３４】
【図１】第１の実施形態に係る複合機の概略構成を示す模型的断面図である。
【図２】第１の実施形態に係る１つの画像形成ユニットの拡大模型的断面図である。
【図３】第１実施形態に係る複合機のハードウェア構成の一例を示すブロック図である。
【図４】（ａ）は第１の実施形態に係る定着装置の一例を正面からみた模型的断面図であり、（ｂ）は加熱ローラ周辺の構成の一例を示す斜視図である。
【図５】第１の実施形態に係る定着装置のコアの一例を説明するための説明図である。
【図６】第１の実施形態に係る定着装置における加熱制御に関するハードウェア構成の一例を説明する。
【図７】第１の実施形態に係る複合機での印刷時における加熱ベルトの温度変化の一例を示すグラフである。
【図８】第１の実施形態に係る複合機での印刷ジョブ中に非通紙領域の加熱を行う際の加熱用データの一例を示す説明図である。
【図９】第１の実施形態に係る定着装置の印刷ジョブ実行の際の加熱制御の流れの一例を示すフローチャートである。
【図１０】第２の実施形態に係る定着装置の印刷ジョブ実行の際の加熱制御の流れの一例を示すフローチャートである。
【図１１】第２の実施形態に係る複合機での温度上昇率の測定データの一例を示す説明図である。
【発明を実施するための形態】
【００３５】
以下、本発明の第１の実施形態を、複合機１００（画像形成装置に相当）を例に挙げつつ、図１〜図９を用いて説明する。但し、各実施の形態に記載される構成、配置等の各要素は発明の範囲を限定せず、単なる説明例にすぎない。
【００３６】
（画像形成装置の概略構成）
まず、図１、図２を用い、本発明の第１の実施形態に係る複合機１００の概略を説明する。図１は、本発明の第１の実施形態に係る複合機１００の概略構成を示す模型的断面図である。図２は、本発明の第１の実施形態に係る１つの画像形成ユニット４２の拡大模型的断面図である。
【００３７】
まず、複合機１００の最上部には、コピー時に原稿を１枚ずつ自動的、連続的に読み取り位置に搬送する原稿搬送装置１０１が取り付けられる。原稿搬送装置１０１の下方に、画像読取部１０２が設けられる。又、原稿搬送装置１０１は、図１の紙面奥側を支点として画像読取部１０２に上下方向に開閉自在に取り付けられる。これにより、コンタクトガラス（送り読取用コンタクトガラス１０２Ａ及び載置読取用コンタクトガラス１０２Ｂ）を上方から押さえるカバーとして機能する。
【００３８】
画像読取部１０２は、上面に送り読取用コンタクトガラス１０２Ａと、書籍等の原稿を１枚ずつ読み取る際に原稿を載置する載置読取用コンタクトガラス１０２Ｂが配される。画像読取部１０２内には、ランプ、ミラー、レンズ、イメージセンサ等（不図示）が配される。イメージセンサは、送り読取用コンタクトガラス１０２Ａを通過する原稿、あるいは、載置読取用コンタクトガラス１０２Ｂに載置された原稿の反射光を元に、原稿を読み取る。そして、イメージセンサは、反射光を画像濃度に応じたアナログの電気信号に変換し、その後、量子化を行い画像データを得る。
【００３９】
又、複合機１００は、図１に破線で示すように、正面上部に操作パネル１（操作入力部に相当）が設けられる。操作パネル１は、各種設定後、コピー等の実行を指示するスタートキー１０が設けられる。又、操作パネル１は、印刷部数等の数字入力用のテンキー部１１や、複合機１００の設定や動作指示を与えるためのメニューやキーを表示する液晶表示部１２を有する。液晶表示部１２は、タッチパネル式である。使用者は、液晶表示部１２に表示されたキーを押下して、複合機１００の設定や動作指示を行える。例えば、使用者は、操作パネル１で使用する用紙のサイズ、種類を指定可能である。
【００４０】
又、複合機１００は、下方から、給紙部２Ａ〜２Ｄ、搬送路３、画像形成部４、中間転写部５、定着装置６等を備える。
【００４１】
複合機１００の下方の各給紙部２（尚、図１において、上段からＡ、Ｂ、Ｃ、Ｄの符号を付す）は、印刷に用いる各サイズ（例えば、Ａ４、Ａ５、Ａ６、Ｂ４等のＡ型、Ｂ型用紙等）、各種用紙（例えば、コピー用紙等の普通紙、再生紙、薄紙、厚紙、ＯＨＰシート等）を複数枚収容する。例えば、最上部の給紙部２Ａは、Ａ３横用紙（用紙搬送方向とＡ３用紙の長辺方向を一致させて載置）を収容する。上から２段目の給紙部２Ｂは、Ａ４横用紙（用紙搬送方向とＡ４用紙の長辺方向を一致させて載置）を収容する。上から３段目の給紙部２Ｃは、Ａ５横用紙（用紙搬送方向とＡ５用紙の長辺方向を一致させて載置）を収容する。最下段の給紙部２Ｄは、はがき（ほぼＡ６サイズ、用紙搬送方向とはがきの長辺方向を一致させて載置）を収容する。尚、各給紙部２の構成は同様であるので、同じものには、同じ符号を付す。
【００４２】
各給紙部２は、給紙用のモータ（図４参照）により回転駆動する給紙ローラ２１を備え、印刷時、１枚ずつ搬送路３に用紙を送り込む。そして、各給紙部２内には、積載される用紙を、用紙搬送方向と垂直な方向で挟むように規制する上下規制ガイド２２と、用紙の後端と接して規制する後端規制ガイド２３の２種の規制ガイドが設けられる。上下規制ガイド２２は、一対で設けられ（図１では、一方のみ可視）、連動してスライドする。実際に用紙位置を規制する場合、上下規制ガイド２２をスライドさせ用紙を挟む。その結果、用紙は搬送路３の幅方向（用紙搬送方向と垂直な方向、図１の紙面垂直な方向）の中央と、用紙の中心軸が一致するように規制される（中央通紙）。後端規制ガイド２３もスライドされ、用紙の後端を規制する。
【００４３】
又、各給紙部２内には、積載される用紙のサイズを把握するための用紙サイズセンサ２４が設けられる。例えば、用紙サイズセンサ２４は、後端規制ガイド２３とつながり、スライド位置により抵抗値が変化する可変抵抗（不図示）と、上下規制ガイド２２とつながり、スライド位置によって抵抗値が変化する可変抵抗（不図示）とを有する。そのため、用紙サイズセンサ２４は、各規制ガイドの位置に応じ、異なる電圧を出力する。尚、用紙サイズセンサ２４は、複数設けられた光センサによって各規制ガイドの位置を把握するものでもよく、積載された用紙のサイズが把握できればよい。
【００４４】
次に、搬送路３は、用紙を搬送し、給紙部２からの用紙を中間転写部５、定着装置６を経て排出トレイ３１まで導く。搬送路３には、複数の搬送ローラ対３２（上方からＡ、ＢＣ、Ｄと符号を付す）や、ガイドや、搬送されてくる用紙を中間転写部５の手前で待機させ、タイミングをあわせて送り出すレジストローラ対３３等が設けられる。又、定着装置６の下流側に、用紙を排出トレイ３１に向けて排出する排出ローラ対３４も設けられる。尚、排出ローラ対３４の近傍には、用紙の排出を検出するための用紙センサ３５（例えば、光センサを使用）が設けられる。
【００４５】
図１及び図２に示すように、複合機１００は、画像データに基づき、トナー像を形成する部分として、画像形成部４を備える。具体的に、画像形成部４は、露光装置４１と、ブラックの画像を形成する画像形成ユニット４２ａと、イエローの画像を形成する画像形成ユニット４２ｂと、シアンの画像を形成する画像形成ユニット４２ｃと、マゼンタの画像を形成する画像形成ユニット４２ｄの４色分の画像形成ユニット４２を備える。
【００４６】
ここで、図１、図２に基づき、画像形成ユニット４２ａ〜４２ｄを詳述する。尚、各画像形成ユニット４２ａ〜４２ｄは、形成するトナー像の色が異なるだけで、いずれも基本的に同様の構成である。そこで、以下の説明では、ａ、ｂ、ｃ、ｄの符号は、特に説明する場合を除き、省略して、画像形成ユニット４２の構成を説明する
【００４７】
各感光体ドラム４３は、回転可能に支持され、モータ（不図示）からの駆動力を受け、回転し、周面にトナー像を担持する。各感光体ドラム４３は、所定のスピードで紙面反時計方向に回転駆動される。各帯電装置４４は、感光体ドラム４３を一定の電位で帯電させる。尚、各帯電装置４４は、コロナ放電式や、ブラシ等を用いて各感光体ドラム４３を帯電させるものでも良い。
【００４８】
各画像形成ユニット４２の下方の露光装置４１は、レーザ光を出力するレーザユニットで、カラー色分解された画像信号に基づき、光信号であるレーザ光（破線で図示）を各感光体ドラム４３に出力し、帯電後の感光体ドラム４３の走査露光を行って、静電潜像を形成する。尚、露光装置４１には、アレイ状のＬＥＤからなるもの等が用いられてもよい。各現像装置４５は、トナーを含む現像剤を収納する（画像形成ユニット４２ａのものはブラック、画像形成ユニット４２ｂのものはイエロー、画像形成ユニット４２ｃのものはシアン、画像形成ユニット４２ｄのものはマゼンタの現像剤を収納）。各現像装置４５は、感光体ドラム４３にトナーを供給する。その結果、感光体ドラム４３の静電潜像が現像される。各清掃装置４６は、転写後の残留トナー等の汚れを掻き取って除去する。
【００４９】
図１に戻り説明を続ける。中間転写部５は、感光体ドラム４３からトナー像の１次転写を受けて、用紙に２次転写を行う。中間転写部５は、各１次転写ローラ５１ａ〜５１ｄ、中間転写ベルト５２、駆動ローラ５３、従動ローラ５４〜５６、２次転写ローラ５７、ベルト清掃装置５８等で構成される。各１次転写ローラ５１５１ａ〜５１ｄは、各感光体ドラム４３とで、無端状の中間転写ベルト５２を挟む。
【００５０】
中間転写ベルト５２は、誘電体樹脂等で構成され、駆動ローラ５３、従動ローラ５４〜５６に張架され、モータ等の駆動機構（不図示）に接続される駆動ローラ５３の回転駆動により図１の紙面時計方向に周回する。又、駆動ローラ５３と２次転写ローラ５７は、中間転写ベルト５２を挟み、２次転写ニップを形成する。トナー像の転写では、各１次転写ローラ５１ａ〜５１ｄに所定の電圧が印加される。各画像形成ユニット４２で形成されたトナー像（ブラック、イエロー、シアン、マゼンタの各色）は、順次、ずれなく重畳されつつ中間転写ベルト５２に１次転写される。そして、各色重ね合わされたトナー像が２次転写ニップに進入した際、用紙もあわせて進入し、所定の電圧を印加された２次転写ローラ５７により、トナー像は、用紙に２次転写される。尚、ベルト清掃装置５８は、２次転写後に中間転写ベルト５２上の残トナー等を除去、回収する。
【００５１】
定着装置６は、中間転写部５よりも用紙搬送方向下流側に配され、２次転写されたトナー像を加熱・加圧して用紙に定着させる。定着後の用紙は、排出トレイ３１に排出され画像形成処理が完了する。尚、定着装置６の詳細は後述する。
【００５２】
（複合機１００のハードウェア構成）
次に、図３に基づき、本発明の第１の実施形態に係る複合機１００のハードウェア構成を説明する。図３は、本発明の第１の実施形態に係る複合機１００のハードウェア構成の一例を示すブロック図である。
【００５３】
図３に示すように、本実施形態に係る複合機１００は、内部に本体制御部７（制御部に相当）を有する。本体制御部７は、装置の各部を制御する。例えば、本体制御部７は、ＣＰＵ７１や、その他、電子回路や素子を含む。又、本体制御部７は、記憶部７２が接続される。ＣＰＵ７１は、中央演算処理装置であり、記憶部７２に格納され、展開される制御プログラムに基づき複合機１００の各部の制御や演算を行う。記憶部７２は、ＲＯＭ、ＲＡＭ、フラッシュＲＯＭ、ＨＤＤ等の不揮発性と揮発性の記憶装置の組み合わせで構成される。例えば、記憶部７２は、複合機１００の制御プログラムのほか、制御データ等、各種データを記憶する。
【００５４】
尚、図３では、本体制御部７は、全体制御や画像処理を行うメイン制御部と、定着装置６や各種回転体を回転させるモータ等のＯＮ／ＯＦＦ等を制御するエンジン制御部等、機能ごとに分割して複数種設けられる場合があるが、本説明では、まとめて本体制御部７として説明する。
【００５５】
そして、本体制御部７は、給紙部２、搬送路３、画像形成部４、中間転写部５、定着装置６等と接続され、記憶部７２の制御プログラムやデータに基づき適切に画像形成が行われるように各部の動作を制御する。尚、本発明に関しては、本体制御部７は、温度検知体（温度センサＳ、図６参照）の出力に基づき、回転体（加熱ベルト６３）のうち用紙と接する通紙領域の温度を定着に必要な温度レベルである定着制御温度で維持させるため、コイル８に供給する電力を制御し、印刷に用いる用紙サイズを把握し、回転部（コアモータ９３）を制御してコア９の回転角度を制御する。
【００５６】
又、本体制御部７には、Ｉ／Ｆ部７３（インターフェイス部、通信部に相当）を介し、印刷を行う画像データの送信元となるコンピュータ２００（パーソナルコンピュータ等）等が接続される。例えば、各コンピュータ２００には、複合機１００を使用するためのドライバソフトウェアがインストールされる。そして、複合機１００には、複数のコンピュータ２００を、ネットワークを介し通信可能に接続することができる。又、複合機１００には、コンピュータ２００をケーブル等によりＩ／Ｆ部７３に直接接続することもできる。本体制御部７は、画像形成部４の露光装置４１に、コンピュータ２００から受信した画像データに画像処理を施した後の画像データを送信し、露光装置４１は、感光体ドラム４３に静電潜像を形成する。
【００５７】
又、本体制御部７（例えば、ＣＰＵ７１）には、各給紙部２内の用紙サイズセンサ２４が接続される。そして、本体制御部７は、用紙サイズセンサ２４の出力電圧に基づき、各給紙部２に収容される用紙のサイズを認識する。又、本体制御部７には操作パネル１が接続され、操作パネル１への使用者による印刷する用紙のサイズを選択する入力が、本体制御部７に伝達される。又、コンピュータ２００から、画像データの送信にあわせて、印刷に用いる用紙を指定する設定データを送り、印刷に用いる用紙を指示することもできる。本体制御部７は、各給紙部２に収容される用紙サイズを確認し、印刷時、指示されたサイズが収容された給紙部２から給紙を行う。このように、本実施形態の複合機１００では、様々なサイズの用紙に印刷することができる。更に、本体制御部７には、用紙センサ３５が接続される。本体制御部７は、用紙センサ３５の出力に基づき、排出ローラ対３４からの用紙の排出を検知して、１ページ分の印刷完了を認識する。
【００５８】
（定着装置６の構成）
次に、図４を用いて、本発明の第１の実施形態に係る定着装置６の構成の一例を説明する。図４（ａ）は本発明の第１の実施形態に係る定着装置６の一例を正面からみた模型的断面図であり、（ｂ）は加熱ローラ６１周辺の構成の一例を示す斜視図である。
【００５９】
図４（ａ）に示すように、本実施形態の定着装置６内には、加熱ローラ６１（加熱部に相当）、定着ローラ６２（加熱部に相当）、トナー像の定着のため用紙と接する回転体としての加熱ベルト６３（加熱部の回転体に相当）等を含む加熱部と、コイル８、コア９、外部コア９１、加圧ローラ６４等が設けられる。尚、加熱ローラ６１、定着ローラ６２、加熱ベルト６３、コア９、加圧ローラ６４は、軸線方向が平行となるように、回転可能に支持される。
【００６０】
加熱ローラ６１は、定着のため、コイル８によって誘導加熱により加熱され、例えば、鉄製である。加熱ローラ６１は、図４（ａ）の紙面奥行き方向（用紙搬送方向と垂直な方向、用紙幅方向）を軸線方向とする。そして、加熱ローラ６１に対向し、例えば、周面がスポンジ状の材料で形成され弾性を有する定着ローラ６２が設けられる。又、加熱ローラ６１と定着ローラ６２には、加熱ベルト６３がかけ回される。加熱ベルト６３は、熱を定着ローラ６２に伝える機能を有する。加熱ベルト６３は、定着のため、コイル８によって誘導加熱により加熱される回転体であり、薄く延ばされた金属（例えばニッケル）で無端状である。
【００６１】
そして、定着ローラ６２に対向し、加圧ローラ６４が設けられる。加圧ローラ６４は、例えば、スポンジ状の材料で形成され、加熱ベルト６３を定着ローラ６２とで挟みつつ、定着ローラ６２方向に付勢部材６５（例えば、ばね）で付勢される。その結果、加圧ローラ６４は、加熱ベルト６３に圧接し、定着ニップＮが形成される。
【００６２】
例えば、定着ローラ６２に、定着装置６に設けられる定着モータ６６（図６参照）の駆動力が伝達され、定着ローラ６２が回転する。定着ローラ６２が回転すると、加熱ベルト６３が回転し、あわせて加熱ローラ６１が回転する。又、加圧ローラ６４も定着ローラ６２の回転にあわせて回転する。そして、定着ローラ６２等を回転させつつ、トナー像が転写された用紙を定着ニップＮに進入させ用紙を搬送し通過させると、トナー像が、加熱加圧され、用紙に定着する（用紙搬送方向を破線で図示）。
【００６３】
次に、加熱ベルト６３や加熱ローラ６１を加熱する構成を説明する。図４（ａ）に示すように、定着ローラ６２が設けられる側と反対側の加熱ローラ６１の周面に対向して、コイル８とコア９が設けられる。そして、図４（ａ）、（ｂ）に示すように、コイル８は、加熱部（加熱ベルト６３等）に対向し、回転体（加熱ベルト６３）の軸線方向に沿ってかけ回され、誘導加熱によって加熱部を暖める。又、コイル８は、加熱ローラ６１とコア９の間の隙間Ｇを避け、加熱ローラ６１を周方向から見てハ字状に加熱ローラ６１の軸線方向に沿ってかけ回される。コア９は、加熱ローラ６１等を含む加熱部に対向し、コイル８と加熱部との磁路を形成し、周面が磁気を遮蔽する磁気遮蔽板９２Ａ、９２Ｂに覆われ、加熱部を加熱する加熱幅Ｗを異ならせるため、周方向の位置により磁気遮蔽板９２に覆われる軸線方向の長さが複数段階異なる（図５参照）。又、コア９は、軸線方向が加熱ローラ６１と平行である。そして、図４（ｂ）に示すように、コイル８は、１本の導線で構成され、導線の両端を端子として、端子に交流電圧が印加される（詳細は後述）。
【００６４】
そして、コイル８に交流電圧を印加すると、コイル８に電流が流れ、例えば、図４（ａ）、（ｂ）に２点鎖線で示すように、磁界が形成される。外部コア９１は、例えば、フェライトで構成され、磁路を形成し、磁束の拡散を防ぐ。そして、磁束が加熱ベルト６３や加熱ローラ６１を貫き、渦電流が発生する。発生した渦電流によるジュール熱で、加熱ベルト６３や加熱ローラ６１が暖められる（誘導加熱）。誘導加熱時、定着ローラ６２等を回転させることで、加熱ローラ６１、加熱ベルト６３が暖められ、加熱ベルト６３によって熱が定着ローラ６２に伝導する。更に、熱は加圧ローラ６４にも伝わる。このように定着装置６が暖められる。定着時には、定着ローラ６２等は、例えば、１７０°Ｃ程度まで暖められる。
【００６５】
尚、本実施形態の定着装置６には、複数の温度センサＳ（温度検知体に相当）が設けられる。各温度センサＳは、用紙進入部分近傍の加熱ベルト６３に接して設けられる（非接触式のものでも良い）。本実施形態の定着装置６は、加熱ベルト６３等を加熱する加熱幅Ｗ（軸線方向において、加熱ベルト６３や加熱ローラ６１が加熱される長さ）を変えることができる（詳細は後述）。そこで、各加熱幅Ｗの端部の温度を測定するためのものと、加熱ベルト６３の軸線方向中心部の温度を測定するためのものと言うように、複数設けられる。即ち、各温度センサＳは、加熱幅Ｗに合わせ加熱部の温度を検知するため複数設けられる。尚、温度センサＳは、定着ローラ６２の軸線方向に沿って並列して設けられるので、図４では、手前側の１つのみが示されている。各温度センサＳは同様の構成で良く、例えば、サーミスタを有し、加熱ベルト６３の温度によって、出力電圧が変化する。
【００６６】
（コア９と磁気遮蔽板９２Ａ、９２Ｂ）
次に、図５に基づき、本発明の第１の実施形態に係る定着装置６のコア９の一例を説明する。図５は、本発明の第１の実施形態に係る定着装置６のコア９の一例を説明するための説明図である。
【００６７】
本実施形態の複合機１００では、様々なサイズの用紙を用いて印刷できる。そして、本実施形態の複合機１００では、定着装置６等で、用紙搬送方向の用紙の中心軸と、搬送経路の幅方向の中心が一致するように中央通紙がなされる。例えば、最大でＡ３サイズの用紙が、本実施形態の複合機１００で印刷可能であるとすると、加熱ローラ６１、定着ローラ６２、加圧ローラ６４、加熱ベルト６３等の軸線方向の長さは、Ａ３の短辺（約３０ｃｍ）よりも大きいサイズとされる。
【００６８】
そして、用紙の印刷を連続して行う場合、用紙と接する部分では、熱が奪われるので、加熱ローラ６１の加熱を行って、加熱ベルト６３等の温度が定着制御温度を下回らないようにしなければならない。しかし、例えば、Ａ４横や、Ａ６（ほぼ、はがきサイズと同等）等、Ａ３用紙よりも幅狭の用紙を連続印刷する場合、Ａ３にあわせた加熱幅Ｗで加熱ローラ６１の加熱を続けると、加熱ローラ６１、定着ローラ６２、加熱ベルト６３、加圧ローラ６４の中央部分のみ熱が奪われ、長手方向（軸線方向）端部では、熱が奪われない。
【００６９】
そうすると、加熱ローラ６１、定着ローラ６２、加熱ベルト６３、加圧ローラ６４の長手方向端部の温度が上昇し続ける。そして、温度が上がりすぎれば加熱ベルト６３や定着ローラ６２等の熱破損等の問題が生じうる。そこで、本実施形態では、コア９に磁気遮蔽板９２Ａ、９２Ｂを設け、加熱ローラ６１の加熱幅Ｗを複数段階に切り替え可能とする。
【００７０】
そこで、図５に基づき、コア９の構成を説明する。まず、コア９は、例えば、フェライトで形成される円筒状、円柱状の部材である。強磁性体であるフェライトを用いることにより、加熱ローラ６１との対向位置に、コイル８の磁束を集中させ、加熱ベルト６３や加熱ローラ６１に効率よく磁束を鎖交させることができる。又、フェライトは、電気的に抵抗値が大きく、渦電流損が生じ難く、加熱ベルト６３や加熱ローラ６１を効率的に暖めることができる。
【００７１】
そして、図５の左側の図面に示すように、本実施形態の定着装置６では、コア９の周面の両端にそれぞれ、磁気遮蔽板９２Ａ、９２Ｂが設けられる（貼り付けられる）。尚、図５では、便宜上、磁気遮蔽板９２Ａ、９２Ｂを網掛とし、コア９の表面と磁気遮蔽板９２Ａ、９２Ｂを区別して示している。又、各磁気遮蔽板９２Ａ、９２Ｂの機能は、共通するので、以下の説明では、特に説明する場合を除き、Ａ、Ｂの符号を省略する。
【００７２】
例えば、各磁気遮蔽板９２は、銅板のような、透磁率が小さく、抵抗が小さい導電体で形成される。各磁気遮蔽板９２を磁束が貫くと、レンツの法則により、磁束を打ち消す方向に電流が導体板に流れ、磁束が遮断される。そして、図５に示すように、各磁気遮蔽板９２は、階段状であり、コア９の周面を覆う軸線方向の長さに差をもたせ、加熱ローラ６１の加熱幅Ｗを切り替え可能とする。
【００７３】
次に、図５の右側の図面に基づき説明する。図５の右側の図面は、コア９の周面を展開した展開図である。例えば、コア９の周面の内、最も磁気遮蔽板９２に覆われる面積が広く、加熱ベルト６３や加熱ローラ６１の軸線方向において、露出する部分が短い部分を加熱ベルト６３に対向させると、加熱幅Ｗが最も狭くなる。言い換えると、磁気遮蔽板９２に覆われる軸線方向の長さが長い部分を加熱ベルト６３に対向させるほど、加熱幅Ｗは狭くなる。
【００７４】
そして、本実施形態のコア９では、磁気遮蔽板９２に覆われる長さは、４段階ある。例えば、最も狭い加熱幅Ｗ（この加熱幅Ｗを加熱幅Ｗ１とする）は、はがきやＡ６用紙の短辺の長さ（例えば、約１０ｃｍ）に対応する。加熱幅Ｗ１の部分を加熱ベルト６３と対向させることで、加熱ベルト６３のうち、はがきやＡ６用紙の短辺方向と加熱ベルト６３の軸線方向を一致させて用紙の搬送を行う場合に、加熱ベルト６３と用紙が接する領域（通紙領域）のみを暖めることができる。加熱幅Ｗ１よりも一段階広い加熱幅Ｗ（この加熱幅Ｗを加熱幅Ｗ２とする）は、例えば、Ａ５サイズの用紙の短辺の長さと対応する（例えば、約１５ｃｍ）。加熱幅Ｗ２の部分を加熱ベルト６３と対向させることで、加熱ベルト６３のうち、Ａ５用紙の短辺方向と加熱ベルト６３の軸線方向を一致させて用紙の搬送を行う場合（Ａ５横）やＡ６用紙やはがきの長辺方向と加熱ベルト６３の軸線方向を一致させて（Ａ６縦）、用紙の搬送を行う場合に、加熱ベルト６３と用紙が接する領域（通紙領域）のみを暖めることができる。
【００７５】
加熱幅Ｗ２よりも一段階広い加熱幅Ｗ（この加熱幅Ｗを加熱幅Ｗ３とする）は、例えば、Ａ４サイズの用紙の短辺の長さと対応する（例えば、約２１ｃｍ）。加熱幅Ｗ３の部分を加熱ベルト６３と対向させることで、加熱ベルト６３のうち、Ａ４用紙の短辺方向と加熱ベルト６３の軸線方向を一致させて用紙の搬送を行う場合（Ａ４横）やＡ５用紙の長辺方向と加熱ベルト６３の軸線方向を一致させて（Ａ５縦）、用紙の搬送を行う場合に、加熱ベルト６３と用紙が接する領域（通紙領域）のみを暖めることができる。最も広い加熱幅Ｗ（この加熱幅Ｗを加熱幅Ｗ４とする）は、Ａ３サイズの用紙の短辺の長さサイズ（例えば、約３０ｃｍ）に対応する。加熱幅Ｗ４の部分を加熱ベルト６３と対向させることで、加熱ベルト６３のうち、Ａ３用紙の短辺方向と加熱ベルト６３の軸線方向を一致させて用紙の搬送を行う場合（Ａ３横）やＡ４用紙の長辺方向と加熱ベルト６３の軸線方向を一致させて（Ａ４縦）、用紙の搬送を行う場合に、加熱ベルト６３と用紙が接する領域（通紙領域）のみを暖めることができる。そして、用紙サイズセンサ２４や操作パネル１で選択された用紙サイズに合わせて、後述のコアモータ９３（図６参照、回転部に相当）によりコア９を回転させて、加熱幅Ｗを切り替える。
【００７６】
（定着装置６における加熱制御に関するハードウェア構成）
次に、図６に基づき、本発明の第１の実施形態に係る定着装置６における加熱制御に関するハードウェア構成の一例を説明する。図６は、本発明の第１の実施形態に係る定着装置６における加熱制御に関するハードウェア構成の一例を説明する。
【００７７】
図６に示すように、本実施形態の定着装置６は、定着装置６の加熱制御を行う定着制御部６０が設けられる。定着制御部６０は、本体制御部７の指示を受けて加熱制御を行う。例えば、定着制御部６０は、制御素子としてのコントローラ６７を有する。コントローラ６７は、定着装置６の実際の加熱制御を行う。又、定着制御部６０は、印刷時、加熱ベルト６３、加熱ローラ６１、定着ローラ６２等を回転させる定着モータ６６を所定の速度で回転させる。
【００７８】
又、定着制御部６０には、例えば、複合機１００内に設けられる電源装置７８から供給される電力に基づき、コイル８に交流を印加するＰＷＭ回路６９が設けられる。定着制御部６０のコントローラ６７には、本体制御部７から加熱のＯＮ／ＯＦＦを指示する加熱ＯＮ／ＯＦＦ指示信号が与えられる。コントローラ６７は、加熱ＯＮの指示の際にＰＷＭ回路６９からコイル８に電力を投入させる。
【００７９】
又、本体制御部７はコントローラ６７にコイル８に投入し、消費させる（熱に変換させる）電力指示を与える。一方で、コントローラ６７は、ＰＷＭ回路６９からコイル８に供給され、加熱ベルト６３や加熱ローラ６１を暖めるために消費された電力を検知する。そして、コントローラ６７は本体制御部７からの指示と検知される電力が一致するようにＰＷＭ回路６９を動作させる。例えば、ＰＷＭ回路６９は、コイル８に流す電流の周波数等を変えて、コイル８に流れる電流の量を制御して加熱により消費される電力を制御する。
【００８０】
コア９の回転角度に関し、例えば、本体制御部７がコアモータ９３を制御する。コアモータ９３は、コア９を回転させる。これにより、コア９が回転し、加熱幅Ｗが切り替えられる。加熱幅Ｗを狭くすることにより、熱に変換されるエネルギーが少なくなるので、コイル８で消費される電力は少なくなる。又、加熱ベルト６３の中央部の温度を検知する温度センサＳ１と、加熱幅Ｗ２の端部（加熱ベルト６３の軸線方向における端部、以下同様）の温度を検知する温度センサＳ２と、加熱幅Ｗ３の端部の温度を検知する温度センサＳ３と、加熱幅Ｗ４の端部の温度を検知する温度センサＳ４の出力電圧は、本体制御部７のＣＰＵ７１に入力される。そして、例えば、記憶部７２には、各温度センサＳの出力電圧に対する温度やサーミスタの抵抗値を定めたデータテーブルが記憶される。このデータテーブルに基づき、本体制御部７は、加熱ベルト６３の各部の温度を検出できる。
【００８１】
（印刷ジョブにおける加熱制御）
次に、図７、図８に基づき、本発明の第１の実施形態に係る複合機１００での印刷における加熱制御の一例を説明する。図７は、本発明の第１の実施形態に係る複合機１００での印刷時における加熱ベルト６３の温度変化の一例を示すグラフである。図８は、本発明の第１の実施形態に係る複合機１００での印刷ジョブ中に非通紙領域の加熱を行う際の加熱用データの一例を示す説明図である。
【００８２】
まず、図７（ａ）を用いて、本実施形態の複合機１００での印刷ジョブの加熱制御の概要を説明する。まず、図７（ａ）は、例えば、Ａ４の短辺方向と加熱ベルト６３の軸線方向をあわせて（給紙部２にＡ４用紙を横方向で載置）、５００枚の用紙を連続して印刷する場合の通紙領域と非通紙領域での温度変化を示した図である。
【００８３】
本実施形態の複合機１００では、印刷ジョブの開始時に、コア９を回転させ、印刷に用いる用紙にあわせた加熱幅Ｗとする。この説明では、コア９を回転させて、コア９のうち、加熱幅Ｗ３の部分を加熱ベルト６３に対向させる。加熱幅Ｗ３の長さは、Ａ４用紙の短辺方向の長さとほぼ同じ長さである。又、加熱幅Ｗ３の状態で、コイル８に通電することにより暖められる加熱ベルト６３や定着ローラ６２等の部分にあわせて用紙は通紙される。言い換えると、加熱ベルト６３のうち、用紙と接する通紙領域のみ加熱される。そして、通紙領域は、図７（ａ）において実線で示すグラフ線Ｇ１のように、定着制御温度である１７０°Ｃで、印刷ジョブ開始（図７において、ｔ１で示す時点）から完了まで維持される。
【００８４】
一方、図７（ａ）において２点鎖線で示すグラフ線Ｇ２のように、印刷ジョブ開始時、加熱ベルト６３のうち、用紙と接しない部分である非通紙領域は、暖められないので、放熱等により温度が次第に低下する。これにより、印刷ジョブの当初、コイル８に投入した電力が非通紙領域を暖めるために熱に変換されないので、無駄な電力消費がなされない。
【００８５】
しかし、加熱幅Ｗ３のまま印刷ジョブが完了すれば、印刷ジョブ完了時、非通紙領域の温度は低いままとなる。そうすると、印刷ジョブ完了時に、例えば、Ａ３用紙の印刷をする場合、非通紙領域を定着制御温度にまで暖めてからでなければ、トナーが溶融せず、定着不良となる。従って、使用者は、先の印刷ジョブでの非通紙領域が暖められるまで待つ必要がある。
【００８６】
そこで、本実施形態の複合機１００では、印刷ジョブの途中で（図７（ａ）におけるｔ２のタイミングで）、制御部は、コア９を回転させて加熱幅Ｗを広げる（例えば、加熱幅Ｗ４とする）。これにより、印刷ジョブ完了時、非通紙領域の温度は、定着制御温度にまで回復した状態とすることができる。
【００８７】
ここで、印刷ジョブ完了後に大きなサイズの用紙でも直ちに印刷できるようにする上で、加熱幅Ｗを広げるタイミングは、印刷ジョブ完了時（印刷ジョブの最終ページの完了時）に非通紙領域の温度がちょうど定着制御温度に到ることが望ましい。印刷ジョブ完了時に非通紙領域が定着制御温度に到れば、無駄な電力消費がなくなるためである。
【００８８】
しかし、印刷ジョブ完了時に非通紙領域がちょうど定着制御温度に到るために加熱幅Ｗを広げるタイミングは、用紙サイズにより異なる。そこで、図７（ｂ）を用いて用紙サイズによる加熱幅Ｗを広げるべきタイミングの差を説明する。図７（ｂ）は、５００枚の用紙を印刷する場合の通紙領域と非通紙領域での温度変化を示した図である。そして、図７（ｂ）のうち、グラフ線Ｇ２は、図７（ａ）と同様に、Ａ４用紙の短辺と加熱ベルト６３の軸線方向をあわせて印刷した場合（加熱幅Ｗ３、Ａ４横）の非通紙領域の温度変化を示し、グラフ線Ｇ３は、Ａ３用紙の短辺と加熱ベルト６３の軸線方向をあわせて印刷した場合（加熱幅Ｗ４、Ａ３横）の非通紙領域の温度変化を示し、グラフ線Ｇ４は、Ａ６用紙の短辺と加熱ベルト６３の軸線方向をあわせて印刷した場合（加熱幅Ｗ１、Ａ６横）の非通紙領域の温度変化を示す。尚、印刷に用いる用紙の厚さは全て同じとする。
【００８９】
例えば、Ａ４用紙のグラフ線Ｇ２を基準として説明すると、Ａ３横用紙の印刷時を示すグラフ線Ｇ３は印刷枚数あたりの温度降下率がグラフ線Ｇ２よりも大きい（印刷１枚当たりに降下する温度が増える）。これは、Ａ３用紙はＡ４用紙よりも大きいため、同じ枚数を印刷するのに要する時間に差があるためである。一方、Ａ６用紙の印刷時を示すグラフ線Ｇ４は印刷枚数あたりの温度降下率がグラフ線Ｇ２よりも小さい（印刷１枚当たりに降下する温度が減る）。これは、Ａ６用紙はＡ４用紙よりも小さいため、同じ枚数を印刷するのに要する時間に差があるためである。
【００９０】
従って、用紙サイズによって、印刷ジョブ完了時に非通紙領域がちょうど定着制御温度に到るために加熱幅Ｗを広げるタイミングは、用紙サイズにより異なってくる（ｔ２、ｔ３、ｔ４としてタイミングのズレを図示）。言い換えると、印刷ジョブ完了時に非通紙領域がちょうど定着制御温度とするために、加熱幅Ｗを広げる印刷ジョブでの印刷残枚数は、用紙サイズにより異なる。
【００９１】
更に、印刷ジョブ完了時に非通紙領域がちょうど定着制御温度に到るために加熱幅Ｗを広げるタイミングは、用紙の種類（例えば、用紙の厚さ）によっても異なる。そこで、図７（ｃ）を用いて用紙の種類によって加熱幅Ｗを広げるべきタイミングの差を説明する。図７（ｃ）は、Ａ４用紙を５００枚の用紙を印刷する場合の通紙領域と非通紙領域での温度変化の一例を示した図である。そして、図７（ｃ）のうち、グラフ線Ｇ５は、コピー用紙や普通紙と呼ばれる厚さの用紙（例えば、坪量６０〜１００ｇ／ｍ3程度）の用紙を印刷した場合の非通紙領域の温度変化を示す。グラフ線Ｇ６は、厚紙と呼ばれる厚さの用紙（例えば、坪量１００ｇ／ｍ3以上、１００〜１６０ｇ／ｍ3程度）の用紙を印刷した場合の非通紙領域の温度変化を示す。グラフ線Ｇ７は、薄紙と呼ばれる厚さの用紙（例えば、坪量６０ｇ／ｍ3程度以下）の用紙を印刷した場合の非通紙領域の温度変化を示す。
【００９２】
尚、どの用紙がどの厚さに分類されるかは、例えば、画像形成装置の機種ごとに任意に定めることができる。そこで、画像形成装置が指定する標準用紙を厚紙、普通紙、薄紙ごとに定め、使用者が標準用紙を用いるようにしてもよいし、取扱説明書に用紙の種類に対する坪量を記載するようにしてもよい。
【００９３】
例えば、普通紙の非通紙領域の温度変化を示すグラフ線Ｇ５を基準として説明すると、厚紙の非通紙領域の温度変化を示すグラフ線Ｇ６は、非通紙領域の温度上昇率がグラフ線Ｇ５よりも大きい。これは、厚紙の定着を行う場合、用紙に奪われる熱が普通紙よりも多くなるため、通紙領域の温度を定着制御温度で維持するには、普通紙よりもコイル８に投入する電力を多くして（例えば、電流を多く流して）、誘導加熱における発熱量を増やす必要が有るためである。一方、薄紙の非通紙領域の温度変化を示すグラフ線Ｇ７は、非通紙領域の温度上昇率がグラフ線Ｇ５よりも小さい。これは、薄紙の定着を行う場合、用紙に奪われる熱が普通紙よりも少なくてすみ、通紙領域の温度を定着制御温度で維持するには、普通紙よりもコイル８に投入する電力が少なくて済むからである。
【００９４】
従って、用紙の種類（厚さ）によって、印刷ジョブ完了時に非通紙領域がちょうど定着制御温度に到るために加熱幅Ｗを広げるタイミングは、異なってくる。言い換えると、印刷ジョブ完了時に非通紙領域がちょうど定着制御温度とするために、加熱幅Ｗを広げる印刷ジョブでの印刷残枚数は、用紙の種類により異なる。そこで、本実施形態の複合機１００では、図８に示すように、非通紙領域の温度に対して、加熱幅Ｗを広げるタイミングを定めた加熱用データ（データテーブル）が、用紙サイズ及び用紙の種類ごとに定められる。この加熱用データは、例えば、記憶部７２に記憶される。
【００９５】
例えば、本体制御部７は、非通紙領域に位置する温度センサＳに基づき、非通紙領域の温度を把握する。もし、非通紙領域に位置する温度センサＳが複数あれば、複数の非通紙領域の温度検出結果の平均を取って非通紙領域の温度が決定されても良いし、最も低い温度を非通紙領域の温度と決定しても良い。そして、現在印刷している用紙サイズと用紙の種類に基づき、本体制御部７は、加熱幅Ｗを広げるタイミング（印刷残枚数）を定める。例えば、本体制御部７は、用紙サイズセンサ２４や、操作パネル１を用いた給紙部２に収容される用紙の種類設定や、コンピュータ２００から複合機１００に送信される印刷設定データに基づき、印刷ジョブで用いる用紙の種類やサイズを把握しても良い。
【００９６】
これにより、印刷ジョブ完了時、先の印刷ジョブよりも大きな（加熱幅Ｗ）の用紙を直ちに印刷できる。尚、加熱用データは、印刷ジョブ完了時よりも前に非通紙領域の温度が定着制御温度に到れるように、有る程度のマージンを取るように定められても良い。もし、印刷ジョブ完了時よりも前に非通紙領域の温度が定着制御温度に到っても、例えば、コア９を回転させ印刷中の用紙サイズに合わせ加熱幅Ｗを狭めてもよい。これにより、非通紙領域での過昇温は生じない。
【００９７】
（定着装置６での印刷ジョブ実行の際の加熱制御）
次に、図９に基づき、本発明の第１の実施形態に係る定着装置６の加熱制御の流れの一例を説明する。図９は、本発明の第１の実施形態に係る定着装置６の印刷ジョブ実行の際の加熱制御の流れの一例を示すフローチャートである。
【００９８】
まず、図９でのスタートは、コピー実行のため、スタートキー１０が押された場合や、コンピュータ２００から、画像データや印刷設定データを含む印刷ジョブのデータをコンピュータ２００から受信した場合など、印刷ジョブの実行が開始される時点である。尚、ここでの印刷ジョブは、複合機１００で利用可能な最大の用紙サイズ（例えばＡ３）以下のサイズの印刷ジョブである。
【００９９】
次に、本体制御部７は、印刷に用いる用紙のサイズや用紙の種類を確認する（ステップ♯１）。具体的に、複合機１００は、例えば、外部から印刷の設定データを含む印刷データを受信する通信部（Ｉ／Ｆ部７３）を有し、本体制御部７は、通信部で受信された設定データに基づき印刷に用いる用紙サイズ及び／又は用紙の種類を把握する。或いは、複合機１００は、例えば、印刷に用いる用紙のサイズの設定入力を行うための操作入力部（操作パネル１）を有し、本体制御部７は、操作入力部に入力された内容に基づき、印刷に用いる用紙サイズ及び／又は用紙の種類を把握する。そして、必要であれば、コアモータ９３に指示して、コア９を回転させ、用紙サイズに合わせた加熱幅Ｗ（加熱幅Ｗ１〜加熱幅Ｗ３の何れかに変更）とする（ステップ♯２）。そして、本体制御部７は、通紙領域の温度を測定する温度センサＳの出力に基づき、定着制御部６０に指示して、通紙領域を定着制御温度で維持させる（ステップ♯３）。
【０１００】
そして、本体制御部７は、１枚の用紙の印刷完了を確認する(ステップ♯４)。排出ローラ対３４近傍に設けられる用紙センサ３５の出力に基づき、用紙の排出トレイ３１への１枚排出を検知することにより、１ページ（１枚）の印刷完了と認識されても良い。又、用紙サイズ等によって、給紙から用紙排出までの時間は、ほぼ決まっているので、１枚の用紙の給紙してからの時間に基づき、本体制御部７は、１枚の用紙の印刷完了を確認してもよい。
【０１０１】
更に、本体制御部７は、非通紙領域部分の温度を測定する温度センサＳ（例えば、温度センサＳ４）の出力に基づき、非通紙領域の温度を確認する（ステップ♯５）。更に、本体制御部７は、印刷ジョブの印刷残枚数を確認する（ステップ♯６）。そして、本体制御部７は、非通紙領域の温度と印刷ジョブの印刷残枚数と加熱用データに基づき、加熱幅Ｗを広げるタイミングか否かを判断する（ステップ♯７）。
【０１０２】
即ち、複合機１００は、データを記憶するための記憶部７２を有し、記憶部７２は、印刷ジョブの途中に加熱幅Ｗを広げて加熱部の加熱を行った際、温度検知体（温度センサＳ）に基づき検知された非通紙領域の温度に対し、印刷ジョブ完了のときに非通紙領域を定着制御温度とするための印刷ジョブの残りの印刷枚数を定めた加熱用データを記憶し、本体制御部７は、加熱用データに基づき、印刷ジョブの途中で、加熱幅Ｗを広げて加熱部を加熱させるタイミングを決定する。又、記憶部７２は、加熱用データを画像形成装置で利用可能な用紙サイズごとに複数種記憶し、本体制御部７は、複数種の加熱用データのうち、印刷に用いる用紙サイズに対応した加熱用データを選択し、選択した加熱用データを用いて、印刷ジョブの途中で、加熱幅Ｗを広げて加熱部を加熱させるタイミングを決定する。更に、記憶部７２は、加熱用データを画像形成装置で利用可能な用紙の種類ごとに複数種記憶し、本体制御部７は、複数種の加熱用データのうち、印刷に用いる用紙の種類に対応した加熱用データを選択し、選択した加熱用データを用いて、印刷ジョブの途中で、加熱幅Ｗを広げて加熱部を加熱させるタイミングを決定する。
【０１０３】
もし、本体制御部７が加熱幅Ｗを広げるタイミングでないと判断すれば（ステップ♯７のＮｏ）、例えば、ステップ♯３に戻る。一方、本体制御部７が加熱幅Ｗを広げるタイミングと判断すれば（ステップ♯７のＹｅｓ）、本体制御部７は、コアモータ９３を制御して加熱幅Ｗを広げる（ステップ♯８）。このとき、次の印刷ジョブに用いる用紙サイズが不明であれば、Ａ３サイズに対応する最大加熱幅Ｗ（加熱幅Ｗ４）に加熱幅Ｗを広げる。もし、プリンタジョブが現在の印刷ジョブ実行中に入力された場合等、次の印刷ジョブに用いる用紙サイズが明らかであれば、次の印刷ジョブに用いる用紙サイズに対応した加熱幅Ｗに広げる。尚、本体制御部７は、現在の印刷ジョブと次の印刷ジョブに用いる用紙サイズが同じで有れば、加熱幅Ｗを広げる必要はないと判断し、次の印刷ジョブ実行時に加熱幅Ｗの拡大がなされても良い。
【０１０４】
即ち、本体制御部７は、印刷ジョブを開始するとき、回転部（コアモータ９３）を制御して用紙サイズにあわせた加熱幅Ｗとし、印刷ジョブの途中で、回転部（コアモータ９３）を制御して加熱幅Ｗを印刷ジョブ開始のときよりも広げて加熱部を加熱させる。具体的には、本体制御部７は、印刷ジョブを開始するとき、加熱部のうち、定着する用紙と接しない領域である非通紙領域が最も広くなるように用紙サイズに合わせた加熱幅Ｗとし、印刷ジョブの途中で、加熱幅Ｗを広げて加熱部を加熱する際、印刷ジョブが完了するまでに非通紙領域が定着制御温度となるように、加熱部を加熱させる。そして、本体制御部７は、次の印刷ジョブに用いる用紙サイズが不明であれば、印刷ジョブの途中で、加熱幅Ｗを印刷ジョブ開始のときよりも広げて加熱部を加熱する場合、給紙部２に収容される用紙のうち、最も大きなサイズの用紙に対応する加熱幅Ｗに加熱幅Ｗを広げて加熱部を加熱させる。又、本体制御部７は、次の印刷ジョブに用いる用紙サイズが明らかであれば、印刷ジョブの途中で、加熱幅Ｗを印刷ジョブ開始のときよりも広げて加熱部を加熱する場合、次の印刷ジョブで用いる用紙のサイズの用紙に対応する加熱幅Ｗに加熱幅Ｗを広げて加熱部を加熱させる。
【０１０５】
その後、印刷が継続され、印刷ジョブが完了する（ステップ♯９）。この時、非通紙領域は定着制御温度にまで暖められ、印刷ジョブ実行時の加熱制御は終了する（エンド）。例えば、この後、スリープモード等の省電力モードに移行するまで、本体制御部７は、コイル８への電力投入のＯＮ／ＯＦＦを切り替えて、最大加熱幅Ｗ４で定着制御温度を維持する制御がなされる。
【０１０６】
このようにして、本実施形態の複合機１００によれば、印刷ジョブを開始するとき、用紙サイズにあわせた加熱幅Ｗとし、印刷ジョブの途中で加熱幅Ｗを印刷ジョブ開始のときよりも広げるので、印刷ジョブ開始時では、加熱部（加熱ベルト６３等）のうち、非通紙領域の加熱は行われない。従って、非通紙領域の無駄な加熱によって電力が無駄に消費されない。又、印刷ジョブ完了後の次の印刷ジョブで用いる用紙のサイズが、先の印刷ジョブよりも大きくても、次の印刷ジョブで用いる用紙の通紙領域全域を定着制御温度に暖めるために、使用者は待たなくて済む。従って、先の印刷ジョブ完了後、用紙サイズの異なる印刷ジョブを直ちに実行でき、使用者の利便性が高くなる。
【０１０７】
又、印刷ジョブが完了するまでに非通紙領域が定着制御温度となるように、加熱部（加熱ベルト６３等）を加熱させる。これにより、印刷ジョブ完了後の次の印刷ジョブで用いる用紙のサイズが、先の印刷ジョブよりも大きくても、確実に、先の印刷ジョブ完了後、直ちに印刷を実行することができる。又、加熱用データに基づき、印刷ジョブの途中で、加熱幅Ｗを広げて加熱部（加熱ベルト６３等）を加熱させるタイミングを決定するので、制御部は、簡易に加熱幅Ｗを広げて加熱部を加熱させるタイミングを決定することができる。又、加熱用データは、印刷ジョブ完了のときに非通紙領域を定着制御温度とするように定められているので、非通紙領域の不要な加熱による無駄な電力消費を可能な限り少なくすることができる。
【０１０８】
又、用紙が用紙搬送方向において長いほど、１枚の用紙を印刷する際に、通紙領域で用紙に奪われる熱は多くなる。そうすると、通紙領域の定着制御温度を維持する上で、用紙のサイズにより、１枚の印刷に要する時間が異なり、コイル８に投入すべき電力（熱に変換するエネルギー）に差が生じる。従って、用紙サイズによって、印刷ジョブの途中で加熱幅を広げるタイミングの目安としての印刷ジョブの残りの印刷枚数は異なる。しかし、記憶部７２は、加熱用データを画像形成装置で利用可能な用紙サイズごとに複数種記憶するので、印刷に用いる用紙のサイズを問わず、非通紙領域の不要な加熱による無駄な電力消費を可能な限り少なくすることができる。又、用紙が分厚いほど、１枚の用紙を印刷する際に、通紙領域で用紙に奪われる熱は多くなる。そうすると、通紙領域の定着制御温度を維持する上で、用紙の種類によって、コイル８に投入すべき電力に差が生じる。従って、用紙の種類によって、印刷ジョブの途中で、加熱幅Ｗを広げた際、非通紙領域の昇温の程度に差が生ずる。しかし、この構成によれば、記憶部７２は加熱用データを画像形成装置で利用可能な用紙の種類ごとに複数種記憶するので、印刷に用いる用紙の種類を問わず、非通紙領域の不要な加熱による無駄な電力消費を可能な限り少なくすることができる。
【０１０９】
又、印刷ジョブ終了後、一般的に、次の印刷ジョブでいかなるサイズの用紙を用いて印刷するか予測できない。そこで、制御部は、給紙部２に収容される用紙のうち、（用紙搬送方向と垂直な方向で）最も大きなサイズの用紙に対応する加熱幅Ｗに加熱幅Ｗを広げて加熱部（加熱ベルト６３等）を加熱させる。これにより、次の印刷ジョブでいかなるサイズの用紙を用いて印刷しても、直ちに印刷ジョブを開始することができ、省エネを実現しつつ、利便性の高い画像形成装置を提供することができる。又、印刷ジョブ実行中に、次の印刷ジョブが画像形成装置に入力された場合など、次の印刷ジョブで用いる用紙のサイズが分かる場合もある。そこで、制御部は、次の印刷ジョブで用いる用紙のサイズの用紙に対応する加熱幅Ｗに加熱幅Ｗを広げて加熱部（加熱ベルト６３等）を加熱させる。これにより、次の印刷ジョブを実行する上で、不要な領域まで加熱してしまうことがなくなり、無駄な電力消費を避けることができる。又、印刷ジョブ完了後、次の印刷ジョブを直ちに印刷ジョブを開始することができ、省エネを実現しつつ、利便性の高い画像形成装置を提供することができる。
【０１１０】
又、制御部は、通信部（Ｉ／Ｆ部７３）で受信された設定データに基づき印刷に用いる用紙サイズや種類を把握することができる。又、制御部は、操作入力部（操作パネル１）に入力された内容に基づき、印刷に用いる用紙サイズや種類を把握することができる。
【０１１１】
（第２の実施形態）
次に、図１０及び図１１に基づき、本発明の第２の実施形態に係る複合機１００を説明する。図１０は、本発明の第２の実施形態に係る定着装置６の印刷ジョブ実行の際の加熱制御の流れの一例を示すフローチャートである。図１１は、本発明の第２の実施形態に係る複合機１００での温度上昇率の測定データの一例を示す説明図である。
【０１１２】
尚、第２の実施形態は、印刷ジョブの実行の際、加熱幅Ｗを広げるタイミングを複合機１００で測定された非通紙領域の温度上昇率に基づいて決定する点で、第１の実施形態と異なる。しかし、複合機１００内の構成等、他の部分については、第１の実施形態と同様で良く、共通する部分は説明を省略するものとし、符号も共通したものを用いる。
【０１１３】
まず、第２の実施形態では、図１１に示すように、印刷ジョブの途中で、非通紙領域を加熱した際の温度上昇率の測定結果がデータと蓄積される。そして、図７を用いて説明したように、加熱幅Ｗを広げた際の非通紙領域の温度上昇率は、通紙領域を定着制御温度で維持するためにコイル８に投入すべき電力に差がある等によって、用紙のサイズや用紙の種類（厚さ）によって異なる。そこで、非通紙領域を加熱した際の温度上昇率の測定結果は、用いる用紙に対応して、加熱幅Ｗを広げたケース（例えば、はがき（加熱幅Ｗ１）→Ａ３用紙（加熱幅Ｗ４））や、用紙の種類ごとに記憶部７２に記憶される（図１１の例では、Ａ１〜Ａ１５として例示）。
【０１１４】
尚、温度上昇率の決定方法は多様である。例えば、過去１週間や過去一ヶ月等、一定期間で各ケース（用紙の種類、印刷に用いた用紙のサイズ、元の加熱幅Ｗと広げた加熱幅Ｗ等）ごとに非通紙領域の温度上昇率を記憶し、各測定結果の平均値を測定データにおける温度上昇率と定めても良い（そのため、例えば、印刷ジョブごと、ケースごとに、一定期間の非通紙領域の温度上昇の測定結果を記憶部７２に記憶する）。或いは、直近に実行された同じケースの印刷ジョブで測定された温度上昇率を測定データとして用いてもよい。
【０１１５】
又、第２の実施形態では、図１１の下段に示すように、例えば、印刷ジョブ完了までの時間を計算するため、印刷ジョブに用いる用紙の１枚（１ページ）あたりの印刷所要時間を示す時間データもあわせて記憶される（例えば、図１１では、用紙の１枚あたりの印刷所要時間をＴ１〜Ｔ６として例示）。
【０１１６】
これらのデータに基づき、加熱幅Ｗを広げるタイミングを複合機１００で測定された非通紙領域の温度上昇率に基づいて決定して、印刷ジョブの実行の際の定着装置６での加熱制御の一例を、図１０を用いて説明する。尚、図１０に示す、ステップ♯２１〜ステップ♯２６は、第１の実施形態と同様でよいので、説明を省略する。
【０１１７】
ステップ♯２７では、加熱幅Ｗを広げて良いかが確認される。このとき、本体制御部７は、記憶部７２に記憶される時間データを用いて、印刷ジョブの残枚数の印刷完了までの所要時間を演算する。この演算された印刷完了までの所要時間を印刷所要時間と称する。具体的に、印刷所要時間は、以下の（式１）として記すように、印刷ジョブの残枚数と、現在印刷に使用している用紙の時間データを乗じれば求められる。
（式１）印刷所要時間（秒）＝印刷ジョブの残枚数（枚）×時間データ（秒）
【０１１８】
又、本体制御部７は、加熱幅Ｗを広げた際に、非通紙領域を定着制御温度に上昇させるまでの時間を演算により求める。この演算された非通紙領域を定着制御温度に上昇させるまでの時間を上昇所要時間と称する。具体的に、上昇所要時間は、以下の（式２）として記すように、定着制御温度と非通紙領域の温度の差を、測定データのうち加熱幅Ｗ変更における当てはまるケースでの温度上昇率で割ることにより求められる。
（式２）上昇所要時間（秒）＝（定着制御温度−非通紙領域温度）（°Ｃ）÷温度上昇率（°Ｃ／秒）
【０１１９】
そして、本体制御部７は、印刷所要時間と上昇所要時間を比較し、上昇所要時間が印刷所要時間以下である間に加熱幅Ｗを広げるタイミングと決定する（上昇所要時間≦印刷所要時間）。このようにタイミングを決定することで、印刷ジョブ完了前に非通紙領域は定着制御温度に到達する。
【０１２０】
即ち、複合機１００は、データを記憶するための記憶部７２を有し、記憶部７２は、印刷ジョブの途中で加熱幅Ｗを広げて加熱部の加熱を行った際の非通紙領域での温度上昇率の測定データを記憶し、本体制御部７は、測定データに基づき温度検知体（温度センサＳ）により検知された非通紙領域の温度を定着制御温度まで上昇させるのに要する上昇所要時間と、印刷ジョブの残りの印刷枚数の印刷に要する印刷所要時間とを求め、比較し、上昇所要時間の方が短い間で、印刷ジョブの途中で、加熱幅Ｗを広げて加熱部を加熱させるタイミングを決定する。又、記憶部７２は、測定データを画像形成装置で利用可能な用紙サイズごとに複数種記憶し、本体制御部７は、複数種の測定データのうち、印刷に用いる用紙サイズに対応した測定データを選択し、選択した測定データを用いて、印刷ジョブの途中で、加熱幅Ｗを広げて加熱部を加熱させるタイミングを決定する。又、記憶部７２は、測定データを画像形成装置で利用可能な用紙の種類ごとに複数種記憶し、本体制御部７は、複数種の測定データのうち、印刷に用いる用紙の種類に対応した測定データを選択し、選択した測定データを用いて、印刷ジョブの途中で、加熱幅Ｗを広げて加熱部を加熱させるタイミングを決定する。
【０１２１】
更に、印刷ジョブが完了した際にちょうど非通紙領域を定着制御温度に維持するために、例えば、以下のような予測演算のもと、加熱幅Ｗを広げるタイミングを決定する。例えば、１枚（１ページ）当たりの印刷の間、非通紙領域の下降する温度を本体制御部７は把握することができる。即ち、１ページ印刷完了ごとに、非通紙領域の温度を検知する温度センサＳが温度を測定し、ページ印刷完了時に測定した温度と、１ページ前の印刷完了時に測定した温度との温度差を、本体制御部７は、１ページの印刷完了ごとに把握すればよい。例えば、印刷ジョブが５００枚に及ぶ場合等、印刷枚数が多数の場合は、１ページ印刷されるごとに温度差を取り、複数得られた温度差の平均値を取ってもよい。
【０１２２】
そうすると、本体制御部７は、次ページ印刷完了時の非通紙領域の温度を予測演算することができる。従って、本体制御部７は、次ページ印刷完了時の予測により求められた非通紙領域の温度を、定着制御温度にするための上昇所要時間を演算する。又、次ページ印刷完了時の印刷残枚数に時間データを乗ずれば、次ページの印刷完了時での印刷所要時間も容易に演算できる。そして、次ページ印刷完了時の上昇所要時間が次ページの印刷完了時での印刷所要時間よりも短ければ、加熱幅Ｗを次ページの印刷完了時に広げても、印刷ジョブ完了時に非通紙領域を定着制御温度にまで高めることができるので、本体制御部７は、現時点で、加熱幅Ｗを広げると判断しない（ステップ♯２７のＮｏ）。一方、次ページ印刷完了時の上昇所要時間が次ページの印刷完了時での印刷所要時間よりも長ければ、加熱幅Ｗを次ページの印刷完了時に広げても、印刷ジョブが完了した際に、非通紙領域を定着制御温度にまで高めることができないので、本体制御部７は、現時点で、加熱幅Ｗを広げると判断する（ステップ♯２７のＹｅｓ）。
【０１２３】
もし、本体制御部７は、加熱幅Ｗを広げないと判断すれば（ステップ♯２７のＮｏ）、例えば、ステップ♯２３に戻る。一方、本体制御部７は、加熱幅Ｗを広げると判断すれば（ステップ♯２７のＹｅｓ）、コアモータ９３を制御して加熱幅Ｗを広げる（ステップ♯２８）。尚、ステップ♯２８は、第１の実施形態におけるステップ♯８と同様で良いので詳細な説明を省略する。
【０１２４】
その後、本体制御部７は、今回の印刷ジョブにおいて、非通紙領域の温度上昇率を把握する（ステップ♯２９）。その後、印刷は完了する（ステップ♯３０）。そして、把握した温度上昇率に基づき、記憶部７２に記憶部７２される測定データのうち、対応する項目（用紙の種類、印刷に用いた用紙、広げる前と広げた後の加熱幅Ｗ）の測定データを更新する（ステップ♯３１→エンド）
【０１２５】
このようにして、本実施形態の複合機１００によれば、制御部は、測定データに基づき、上昇所要時間の方が短い間に、印刷ジョブの途中で、加熱幅Ｗを広げて加熱部（加熱ベルト６３、加熱ローラ６１、定着ローラ６２等）を加熱させるタイミングを決定するので、画像形成装置の設置環境（周辺温度等）や加熱部（加熱ベルト６３等）の昇温の程度の個体差等の事情を考慮して、制御部は、加熱幅Ｗを広げて加熱部を加熱させるタイミングを決定することができる。従って、実情にあわせた加熱制御を行うことができ、効率的に無駄な電力消費を無くすことができる。
【０１２６】
又、用紙が用紙搬送方向において長いほど、１枚の用紙を印刷する際に、通紙領域で用紙に奪われる熱は多くなる。そうすると、通紙領域の定着制御温度を維持する上で、用紙のサイズによって、コイル８に投入すべき電力に差が生じる。従って、用紙サイズによって、印刷ジョブの途中で、加熱幅Ｗを広げた際、非通紙領域の昇温の程度に差が生ずる。しかし、この構成によれば、記憶部７２は、測定データを画像形成装置で利用可能な用紙サイズごとに複数種記憶するので、画像形成装置の設置環境に合わせつつ、印刷に用いる用紙のサイズを問わず、非通紙領域の不要な加熱による無駄な電力消費を少なくすることができる。又、用紙が分厚いほど、１枚の用紙を印刷する際に、通紙領域で用紙に奪われる熱は多くなる。そうすると、通紙領域の定着制御温度を維持する上で、用紙の種類によって、コイル８に投入すべき電力に差が生じる。従って、用紙の種類によって、印刷ジョブの途中で、加熱幅Ｗを広げた際、非通紙領域の昇温の程度に差が生ずる。しかし、この構成によれば、記憶部７２は、測定データを画像形成装置で利用可能な用紙の種類ごとに複数種記憶するので、画像形成装置の設置環境に合わせつつ、印刷に用いる用紙の種類を問わず、非通紙領域の不要な加熱による無駄な電力消費を少なくすることができる。
【０１２７】
以上、本発明の実施形態につき説明したが、本発明の範囲はこれに限定されるものではなく、発明の主旨を逸脱しない範囲で種々の変更を加えて実施することができる。
【産業上の利用可能性】
【０１２８】
本発明は、誘導加熱式の定着装置を有する画像形成装置に利用可能である。
【符号の説明】
【０１２９】
１      操作パネル（操作入力部）      ２（２Ａ、２Ｂ、２Ｃ、２Ｄ）  給紙部
４      画像形成部                    ６      定着装置
６１    加熱ローラ（加熱部）          ６２    定着ローラ（加熱部）
６３    加熱ベルト（回転体、加熱部）  ７      本体制御部（制御部）
７２    記憶部                        ７３    Ｉ／Ｆ部（通信部）
８      コイル                        ９      コア
９２（９２Ａ、９２Ｂ）  磁気遮蔽板    ９３    コアモータ（回転部）
１００  複合機（画像形成装置）
Ｓ（Ｓ１、Ｓ２、Ｓ３、Ｓ４）  温度センサ（温度検知体）
Ｗ（Ｗ１、Ｗ２、Ｗ３、Ｗ４）  加熱幅
【図１】
2011112858.tif 000003
【図２】
2011112858.tif 000004
【図３】
2011112858.tif 000005
【図４】
2011112858.tif 000006
【図５】
2011112858.tif 000007
【図６】
2011112858.tif 000008
【図７】
2011112858.tif 000009
【図８】
2011112858.tif 000010
【図９】
2011112858.tif 000011
【図１０】
2011112858.tif 000012
【図１１】
2011112858.tif 000013